(57)【要約】【課題】被写体人物の顔の様子をより迅速に確認することが可能な撮像装置、画像表示装置及びプログラムを実現する。【解決手段】撮像装置１００は、ユーザが所望する被写体を撮像する撮像部１と、撮像された撮像画像の画像情報に基づいて撮像画像内から被写体となった人物の顔が含まれる顔画像領域を検出する処理と、検出された顔画像領域における顔の表情を認識する処理と、認識された表情のよい笑顔順に顔画像領域に順位付けを行う処理と、順位付けされた順に並べた顔画像領域Ｆと撮像画像Ｇ全体とを同一画面に表示する処理とを行うＣＰＵ７１を備える。【選択図】図１
2008278458.tif 000002
【特許請求の範囲】
【請求項１】
被写体を撮像する撮像部と、
前記撮像部により撮像された撮像画像を表示する表示部と、
前記撮像画像の画像情報に基づいて、その撮像画像内から被写体の顔が含まれる顔領域を検出する顔検出手段と、
前記表示部に、前記撮像画像を表示させるとともに、この表示される当該撮像画像内の被写体の顔よりも前記顔検出手段により検出された顔領域の顔画像を拡大して表示させる画像表示制御手段と、
を備えることを特徴とする撮像装置。
【請求項２】
前記画像表示制御手段は、前記撮像画像の少なくとも一部に前記顔画像を重畳して前記表示部に表示させることを特徴とする請求項１に記載の撮像装置。
【請求項３】
前記画像表示制御手段は、前記顔検出手段により検出された顔領域の顔画像を拡大して、当該顔画像を前記撮像画像における前記顔検出手段により当該顔領域を検出した顔に対して所定の対応位置に重畳して表示させることを特徴とする請求項２に記載の撮像装置。
【請求項４】
前記画像表示制御手段は、前記撮像画像と前記顔画像とが重ならないように、前記撮像画像と前記顔画像を前記表示部に表示させることを特徴とする請求項１に記載の撮像装置。
【請求項５】
前記顔検出手段は、前記顔領域を複数検出し、
前記画像表示制御手段は、前記顔検出手段により検出された複数の顔領域の顔画像を拡大して、前記撮像画像とともに前記表示部に表示させる複数顔画像表示制御手段を含むことを特徴とする請求項１に記載の撮像装置。
【請求項６】
前記画像表示制御手段は、前記顔検出手段により検出された複数の顔領域の顔画像をそれぞれ拡大して略一列に並べて、前記表示部に表示させる顔画像一列表示制御手段を備えることを特徴とする請求項５に記載の撮像装置。
【請求項７】
前記画像表示制御手段は、前記顔検出手段により検出された複数の顔領域を、前記表示部にスクロール表示させるスクロール表示制御手段を備えることを特徴とする請求項５に記載の撮像装置。
【請求項８】
前記顔検出手段により検出された複数の顔領域のうち、所定数の顔領域を選択する顔画像領域選択手段を備え、
前記画像表示制御手段は、前記顔画像領域選択手段により選択された所定数の顔領域をそれぞれ拡大して、前記撮像画像とともに前記表示部に表示させる選択拡大表示制御手段を備えることを特徴とする請求項５に記載の撮像装置。
【請求項９】
前記顔検出手段により検出された複数の顔領域の顔画像情報に基づいて、それら顔画像に、特定条件に関する評価付けを行う顔画像評価付け手段を備え、
前記画像表示制御手段は、前記顔画像評価付け手段により評価付けされた結果に基づき画像を表示することを特徴とする請求項１に記載の撮像装置。
【請求項１０】
前記顔検出手段により検出された顔領域の顔画像における顔の表情を認識する表情認識手段を備え、
前記顔画像評価付け手段は、前記表情認識手段により認識された顔の表情に関する評価付けを行うことを特徴とする請求項９に記載の撮像装置。
【請求項１１】
前記画像表示制御手段は、前記表示部に、前記顔検出手段により検出された複数の顔領域の顔画像を前記顔画像評価付け手段により評価付けされた順に表示させることを特徴とする請求項９に記載の撮像装置。
【請求項１２】
前記画像情報を記録する画像記録部を備え、
前記画像表示制御手段は、前記表示部に、前記撮像部により撮像されたスルー画像を表示させる際と、前記画像記録部に記録される画像情報に基づく記録画像を表示させる際とで、前記顔検出手段により検出された複数の顔領域の顔画像を前記顔画像評価付け手段により互いに異なる特定条件で評価付けされた順に表示させる異条件順表示制御手段を備えることを特徴とする請求項１１に記載の撮像装置。
【請求項１３】
前記顔画像評価付け手段は、特定条件に関する評価付けを順次行い、
前記顔画像評価付け手段により評価付けされた結果に応じて、前記顔領域の顔画像の表示順を順次切り替える表示順切替手段を備えることを特徴とする請求項９に記載の撮像装置。
【請求項１４】
前記顔画像評価付け手段により評価付けされた結果に対応して、前記顔領域の顔画像に対してその評価付けに応じた数値を対応付けて表示する評価表示制御手段を備えることを特徴とする請求項９に記載の撮像装置。
【請求項１５】
複数の顔画像を優先度と対応付けて登録する顔画像登録手段と、
前記顔画像登録手段に登録されている前記複数の顔画像の何れかと前記顔検出手段により検出された顔領域の顔画像が一致するか否かを判定する顔登録判定手段と、を備え、
前記顔画像評価付け手段は、前記顔検出手段により検出された前記複数の顔領域の顔画像のうち、前記顔登録判定手段により一致すると判定された顔画像に、前記優先度に関する評価付けを行うことを特徴とする請求項９に記載の撮像装置。
【請求項１６】
前記画像表示制御手段は、前記表示部に、前記顔登録判定手段により一致すると判定された複数の顔画像を優先度の高い順に表示させることを特徴とする請求項１５に記載の撮像装置。
【請求項１７】
前記画像表示制御手段は、前記顔登録判定手段により一致すると判定された顔画像と対応付けて当該顔画像が前記顔画像登録手段に登録済みであることを示す表示を前記表示部に表示させることを特徴とする請求項１５に記載の撮像装置。
【請求項１８】
前記画像表示制御手段は、前記顔登録判定手段により一致すると判定された顔画像と対応付けて当該顔画像の優先度を示す表示を前記表示部に表示させることを特徴とする請求項１５に記載の撮像装置。
【請求項１９】
前記画像情報を記録する画像記録部を備え、
前記画像表示制御手段は、前記撮像部により撮像されたスルー画像を表示させる際に実行されることを特徴とする請求項１に記載の撮像装置。
【請求項２０】
前記画像情報を記録する画像記録部を備え、
前記画像表示制御手段は、前記画像記録部に記録される画像情報に基づく記録画像を表示させる際に実行されることを特徴とする請求項１に記載の撮像装置。
【請求項２１】
前記画像情報を記録する画像記録部を備え、
前記画像表示制御手段は、前記画像記録部に記憶された画像情報を表示させる際に実行されることを特徴とする請求項１に記載の撮像装置。
【請求項２２】
全体画像を表示する表示部と、
前記全体画像の画像情報に基づいて、その全体画像内から顔が含まれる顔領域の顔画像を検出する顔検出手段と、
前記表示部に、前記全体画像を表示させるとともに、この表示される当該全体画像内の顔よりも前記顔検出手段により検出された顔領域の顔画像を拡大して表示させる画像表示制御手段と、
を備えることを特徴とする画像表示装置。
【請求項２３】
全体画像を表示する表示部を備える画像表示装置のコンピュータに、
前記全体画像の画像情報に基づいて、その全体画像内から顔が含まれる顔領域の顔画像を検出する顔検出処理に係る機能と、
前記表示部に、前記全体画像を表示させるとともに、この表示される当該全体画像内の顔よりも前記顔検出処理にて検出された顔領域の顔画像を拡大して表示させる機能と、
を実現させることを特徴とするプログラム。
【発明の詳細な説明】
【技術分野】
【０００１】
本発明は、撮像装置、画像表示装置、及びそのプログラムに関する。
【背景技術】
【０００２】
従来、顔の画像を取得して顔プロトタイプを作成することにより、顔認識を行う技術が知られている（例えば、特許文献１参照）。
【０００３】
また近年、被写体となっている人物の顔認識を行い、人物を好適に撮像することを可能にする撮像装置が知られている。
【特許文献１】特表２００５−５２２７９０号公報
【発明の開示】
【発明が解決しようとする課題】
【０００４】
しかしながら、上記従来技術の撮像装置を用いて人物を撮像する際に、その撮像装置が被写体となった人物の顔認識を行うと、撮像装置において予め設定されている人物撮影用に最適化された撮像条件に応じた撮像を行うことはできるが、被写体の人物が小さく写るような場合、撮影者がその被写体人物の顔の様子を確認して撮像を行うことが困難となることがあり、例えば、その人物の視線や表情などがよいタイミングのシャッターチャンスを逃してしまうことがあるという問題があった。
また、撮影後の画像を確認する時に、被写体人物の顔の様子を迅速に確認し難かった。
【０００５】
本発明の目的は、被写体人物の顔の様子をより迅速に確認することが可能な撮像装置、画像表示装置、及びそのプログラムを提供することである。
【課題を解決するための手段】
【０００６】
上記課題を解決する為に請求項１に記載の発明は、被写体を撮像する撮像部と、前記撮像部により撮像された撮像画像を表示する表示部と、前記撮像画像の画像情報に基づいて、その撮像画像内から被写体の顔が含まれる顔領域を検出する顔検出手段と、前記表示部に、前記撮像画像を表示させるとともに、この表示される当該撮像画像内の被写体の顔よりも前記顔検出手段により検出された顔領域の顔画像を拡大して表示させる画像表示制御手段と、を備えることを特徴とする撮像装置とした。
【０００７】
請求項２に記載の発明は、前記画像表示制御手段は、前記撮像画像の少なくとも一部に前記顔画像を重畳して前記表示部に表示させることを特徴とする請求項１に記載の撮像装置とした。
【０００８】
請求項３に記載の発明は、前記画像表示制御手段は、前記顔検出手段により検出された顔領域の顔画像を拡大して、当該顔画像を前記撮像画像における前記顔検出手段により当該顔領域を検出した顔に対して所定の対応位置に重畳して表示させることを特徴とする請求項２に記載の撮像装置とした。
【０００９】
請求項４に記載の発明は、前記画像表示制御手段は、前記撮像画像と前記顔画像とが重ならないように、前記撮像画像と前記顔画像を前記表示部に表示させることを特徴とする請求項１に記載の撮像装置とした。
【００１０】
請求項５に記載の発明は、前記顔検出手段は、前記顔領域を複数検出し、前記画像表示制御手段は、前記顔検出手段により検出された複数の顔領域の顔画像を拡大して、前記撮像画像とともに前記表示部に表示させる複数顔画像表示制御手段を含むことを特徴とする請求項１に記載の撮像装置とした。
【００１１】
請求項６に記載の発明は、前記画像表示制御手段は、前記顔検出手段により検出された複数の顔領域の顔画像をそれぞれ拡大して略一列に並べて、前記表示部に表示させる顔画像一列表示制御手段を備えることを特徴とする請求項５に記載の撮像装置とした。
【００１２】
請求項７に記載の発明は、前記画像表示制御手段は、前記顔検出手段により検出された複数の顔領域を、前記表示部にスクロール表示させるスクロール表示制御手段を備えることを特徴とする請求項５に記載の撮像装置とした。
【００１３】
請求項８に記載の発明は、前記顔検出手段により検出された複数の顔領域のうち、所定数の顔領域を選択する顔画像領域選択手段を備え、前記画像表示制御手段は、前記顔画像領域選択手段により選択された所定数の顔領域をそれぞれ拡大して、前記撮像画像とともに前記表示部に表示させる選択拡大表示制御手段を備えることを特徴とする請求項５に記載の撮像装置とした。
【００１４】
請求項９に記載の発明は、前記顔検出手段により検出された複数の顔領域の顔画像情報に基づいて、それら顔画像に、特定条件に関する評価付けを行う顔画像評価付け手段を備え、前記画像表示制御手段は、前記顔画像評価付け手段により評価付けされた結果に基づき画像を表示することを特徴とする請求項１に記載の撮像装置とした。
【００１５】
請求項１０に記載の発明は、前記顔検出手段により検出された顔領域の顔画像における顔の表情を認識する表情認識手段を備え、前記顔画像評価付け手段は、前記表情認識手段により認識された顔の表情に関する評価付けを行うことを特徴とする請求項９に記載の撮像装置とした。
【００１６】
請求項１１に記載の発明は、前記画像表示制御手段は、前記表示部に、前記顔検出手段により検出された複数の顔領域の顔画像を前記顔画像評価付け手段により評価付けされた順に表示させることを特徴とする請求項９に記載の撮像装置とした。
【００１７】
請求項１２に記載の発明は、前記画像情報を記録する画像記録部を備え、前記画像表示制御手段は、前記表示部に、前記撮像部により撮像されたスルー画像を表示させる際と、前記画像記録部に記録される画像情報に基づく記録画像を表示させる際とで、前記顔検出手段により検出された複数の顔領域の顔画像を前記顔画像評価付け手段により互いに異なる特定条件で評価付けされた順に表示させる異条件順表示制御手段を備えることを特徴とする請求項１１に記載の撮像装置とした。
【００１８】
請求項１３に記載の発明は、前記顔画像評価付け手段は、特定条件に関する評価付けを順次行い、前記顔画像評価付け手段により評価付けされた結果に応じて、前記顔領域の顔画像の表示順を順次切り替える表示順切替手段を備えることを特徴とする請求項９に記載の撮像装置とした。
【００１９】
請求項１４に記載の発明は、前記顔画像評価付け手段により評価付けされた結果に対応して、前記顔領域の顔画像に対してその評価付けに応じた数値を対応付けて表示する評価表示制御手段を備えることを特徴とする請求項９に記載の撮像装置とした。
【００２０】
請求項１５に記載の発明は、複数の顔画像を優先度と対応付けて登録する顔画像登録手段と、前記顔画像登録手段に登録されている前記複数の顔画像の何れかと前記顔検出手段により検出された顔領域の顔画像が一致するか否かを判定する顔登録判定手段と、を備え、前記顔画像評価付け手段は、前記顔検出手段により検出された前記複数の顔領域の顔画像のうち、前記顔登録判定手段により一致すると判定された顔画像に、前記優先度に関する評価付けを行うことを特徴とする請求項９に記載の撮像装置とした。
【００２１】
請求項１６に記載の発明は、前記画像表示制御手段は、前記表示部に、前記顔登録判定手段により一致すると判定された複数の顔画像を優先度の高い順に表示させることを特徴とする請求項１５に記載の撮像装置とした。
【００２２】
請求項１７に記載の発明は、前記画像表示制御手段は、前記顔登録判定手段により一致すると判定された顔画像と対応付けて当該顔画像が前記顔画像登録手段に登録済みであることを示す表示を前記表示部に表示させることを特徴とする請求項１５に記載の撮像装置とした。
【００２３】
請求項１８に記載の発明は、前記画像表示制御手段は、前記顔登録判定手段により一致すると判定された顔画像と対応付けて当該顔画像の優先度を示す表示を前記表示部に表示させることを特徴とする請求項１５に記載の撮像装置とした。
【００２４】
請求項１９に記載の発明は、前記画像情報を記録する画像記録部を備え、前記画像表示制御手段は、前記撮像部により撮像されたスルー画像を表示させる際に実行されることを特徴とする請求項１に記載の撮像装置とした。
【００２５】
請求項２０に記載の発明は、前記画像情報を記録する画像記録部を備え、前記画像表示制御手段は、前記画像記録部に記録される画像情報に基づく記録画像を表示させる際に実行されることを特徴とする請求項１に記載の撮像装置とした。
【００２６】
請求項２１に記載の発明は、前記画像情報を記録する画像記録部を備え、前記画像表示制御手段は、前記画像記録部に記憶された画像情報を表示させる際に実行されることを特徴とする請求項１に記載の撮像装置とした。
【００２７】
請求項２２に記載の発明は、全体画像を表示する表示部と、前記全体画像の画像情報に基づいて、その全体画像内から顔が含まれる顔領域の顔画像を検出する顔検出手段と、前記表示部に、前記全体画像を表示させるとともに、この表示される当該全体画像内の顔よりも前記顔検出手段により検出された顔領域の顔画像を拡大して表示させる画像表示制御手段と、を備えることを特徴とする画像表示装置とした。
【００２８】
請求項２３に記載の発明は、全体画像を表示する表示部を備える画像表示装置のコンピュータに、前記全体画像の画像情報に基づいて、その全体画像内から顔が含まれる顔領域の顔画像を検出する顔検出処理に係る機能と、前記表示部に、前記全体画像を表示させるとともに、この表示される当該全体画像内の顔よりも前記顔検出処理にて検出された顔領域の顔画像を拡大して表示させる機能と、を実現させることを特徴とするプログラムとした。
【発明の効果】
【００２９】
本発明によれば、被写体人物の顔の様子をより迅速に確認することが可能となる。
【発明を実施するための最良の形態】
【００３０】
以下に、本発明について、図面を用いて具体的な態様を説明する。ただし、発明の範囲は、図示例に限定されない。
図１は、本発明を適用した一実施形態の撮像装置１００の概略構成を示すブロック図である。
【００３１】
本実施形態の撮像装置１００は、所望する被写体を撮像した撮像画像を表示部に表示する際に、その撮像画像内における人物の顔を検出して、その人物の顔が含まれる顔画像領域（顔領域）を拡大し、当該顔画像領域の顔画像を撮像画像とともに表示部における同一画面に表示する画像表示処理を行うものである。
具体的には、撮像装置１００は、図１に示すように、撮像部１と、撮像補助部２と、表示部３と、操作部４と、記録媒体５と、ＵＳＢ端子６と、制御部７等を備えて構成されている。
【００３２】
撮像部１は、撮影者により撮像装置１００が向けられた方向の被写体を撮像するものであり、具体的には、撮像レンズ群１１と、電子撮像部１２と、映像信号処理部１３と、画像メモリ１４と、撮影制御部１５等を備えている。
【００３３】
撮像レンズ群１１は、フォーカス機能及びズーム機能を有し、複数の撮像レンズから構成されている。
電子撮像部１２は、撮像レンズ群１１を通過した被写体像を二次元の画像信号に変換する撮像素子であるＣＣＤ（Charge Coupled Device）やＣＭＯＳ（Complementary Metal-Oxide Semiconductor）等から構成されている。
映像信号処理部１３は、電子撮像部１２から出力される画像信号に対して所定の画像処理を施すものである。
画像メモリ１４は、画像処理後の画像信号を一時的に記憶する。
撮影制御部１５は、ＣＰＵ７１の制御下にて、電子撮像部１２及び映像信号処理部１３を制御する。
【００３４】
撮像補助部２は、撮像部１による被写体の撮像の際に駆動するものであり、フォーカス駆動部２１と、ズーム駆動部２２等を備えている。
フォーカス駆動部２１は、撮像レンズ群１１に接続されたフォーカス機構部（図示略）を駆動させる。
ズーム駆動部２２は、撮像レンズ群１１に接続されたズーム機構部（図示略）を駆動させる。
なお、フォーカス駆動部２１及びズーム駆動部２２は、撮影制御部１５に接続され、撮影制御部１５の制御下にて駆動する。
【００３５】
表示部３は、撮像部１により撮像された画像を表示するものであり、表示制御部３１と、画像表示部３２等を備えている。
表示制御部３１は、ＣＰＵ７１から適宜出力される表示データを一時的に保存するビデオメモリ（図示略）を備えている。
画像表示部３２は、表示制御部３１からの出力信号に基づいて所定の画像を表示する液晶モニタ等を備えている。なお、画像表示部３２は、撮像部１の電子撮像部１２に結像されて読み取られた画像であるスルー画像や、記録媒体５に記録されている画像データに応じた画像であるＲＥＣ画像等を表示する。
【００３６】
操作部４は、当該撮像装置１００の所定操作を行うためのものであり、操作入力部４１と、入力回路４２等を備えている。
【００３７】
操作入力部４１は、シャッターボタン４１ａ、モード設定ボタン４１ｂ等の各種操作スイッチ等を備える。
シャッターボタン４１ａは、撮像部１による被写体の撮影を指示する。また、シャッターボタン４１ａは、半押し操作と全押し操作の２段階の押圧操作が可能に構成されている。
モード設定ボタン４１ｂは、撮像モードを通常撮像モードや人物撮像モード等に切り替えて設定するためのものである。
【００３８】
入力回路４２は、操作入力部４１から入力された操作信号をＣＰＵ７１に入力するためのものである。
【００３９】
記録媒体５は、例えば、カード型の不揮発性メモリ（フラッシュメモリ）やハードディスク等により構成され、画像記録部として、撮像部１により撮像された撮像画像の画像情報（画像データ）を記憶する。
【００４０】
ＵＳＢ端子６は、外部機器との接続用の端子であり、ＵＳＢケーブル（図示略）等を介してデータの送受信を行う。
【００４１】
制御部７は、撮像装置１００の各部を制御するものであり、ＣＰＵ７１と、プログラムメモリ７２と、データメモリ７３等を備えている。
【００４２】
ＣＰＵ７１は、プログラムメモリ７２に記憶された撮像装置１００用の各種処理プログラムに従って各種の制御動作を行うものである。
【００４３】
データメモリ７３は、例えば、フラッシュメモリ等により構成され、ＣＰＵ７１によって処理されるデータ等を一時記憶する。
【００４４】
プログラムメモリ７２は、ＣＰＵ７１の動作に必要な各種プログラムやデータを記憶するものであり、具体的には、顔検出プログラム７２ａ、表情認識プログラム７２ｂ、画像表示制御プログラム７２ｃ、複数顔画像表示制御プログラム７２ｃｃ、顔画像一列表示制御プログラム７２ｄ、選択拡大表示制御プログラム７２ｅ、顔画像評価付けプログラム７２ｆ、顔画像領域選択プログラム７２ｇ、合焦プログラム７２ｈ、異条件順表示制御プログラム７２ｉ、表示順切替プログラム７２ｊ等を記憶している。
【００４５】
顔検出プログラム７２ａは、ＣＰＵ７１を顔検出手段として機能させるものである。即ち、顔検出プログラム７２ａは、撮像部１により撮像された撮像画像の画像情報に基づいて、その撮像画像内から被写体となった人物の顔が含まれる顔画像領域を検出する顔検出処理に係る機能をＣＰＵ７１に実現させるためのプログラムである。
【００４６】
表情認識プログラム７２ｂは、ＣＰＵ７１を表情認識手段として機能させるものである。即ち、表情認識プログラム７２ｂは、ＣＰＵ７１により検出された顔画像領域における顔の表情を認識する表情認識処理に係る機能をＣＰＵ７１に実現させるためのプログラムである。
なお、画像の中から人の顔の表情を認識する技術は、例えば、特開平３−２５２７７５号公報における手法、特開平８−２４９４４７号公報における手法、特開平８−２４９４５３号公報における手法、特開平１０−２５５０４３号公報における手法などが知られており、このような周知の技術を用いることで、表情認識処理に係る機能をＣＰＵ７１に実現させることが可能である。
【００４７】
画像表示制御プログラム７２ｃは、ＣＰＵ７１を画像表示制御手段として機能させるものである。即ち、画像表示制御プログラム７２ｃは、ＣＰＵ７１による顔検出処理にて検出された顔画像領域を拡大して、撮像画像とともに表示部３の画像表示部３２に表示させる画像表示処理に係る機能をＣＰＵ７１に実現させるためのプログラムである。
そして、ＣＰＵ７１は、画像表示制御プログラム７２ｃを実行することで、顔検出処理にて検出された単数または複数の顔画像領域をそれぞれ拡大して、当該顔画像領域の顔画像を撮像画像とともに表示部３の画像表示部３２に表示させたり、顔検出処理にて検出された複数の顔画像領域のうち、選択された所定数の顔画像領域をそれぞれ拡大して、当該顔画像領域の顔画像を撮像画像とともに表示部３の画像表示部３２に表示させる。これにより、画像表示部３２には、撮像画像が表示されるとともに、表示される当該画像中の人物の顔よりも拡大された所定の顔画像が表示された状態となる。
【００４８】
複数顔画像表示制御プログラム７２ｃｃは、画像表示制御プログラム７２ｃの一部であって、ＣＰＵ７１を複数顔画像表示制御手段として機能させるものである。即ち、複数顔画像表示制御プログラム７２ｃｃは、ＣＰＵ７１による顔検出処理にて検出された複数の顔画像領域をそれぞれ拡大して、当該複数の顔画像領域の顔画像を撮像画像とともに表示部３の画像表示部３２に表示させる複数顔画像表示制御処理に係る機能をＣＰＵ７１に実現させるためのプログラムである。
【００４９】
顔画像一列表示制御プログラム７２ｄは、画像表示制御プログラム７２ｃの一部であって、ＣＰＵ７１を顔画像一列表示制御手段として機能させるものである。即ち、顔画像一列表示制御プログラム７２ｄは、ＣＰＵ７１による顔検出処理にて検出された複数の顔画像領域をそれぞれ拡大して、撮像画像とともに当該全ての顔画像領域の顔画像を略一列に並べて表示部３の画像表示部３２に表示させる顔画像一列表示制御処理に係る機能をＣＰＵ７１に実現させるためのプログラムである。
【００５０】
選択拡大表示制御プログラム７２ｅは、画像表示制御プログラム７２ｃの一部であって、ＣＰＵ７１を選択拡大表示制御手段として機能させるものである。即ち、選択拡大表示制御プログラム７２ｅは、ＣＰＵ７１による顔画像領域選択処理（後述）にて選択された所定数の顔画像領域をそれぞれ拡大して、当該顔画像領域の顔画像を撮像画像とともに表示部３の画像表示部３２に表示させる選択拡大表示制御処理に係る機能をＣＰＵ７１に実現させるためのプログラムである。
【００５１】
顔画像評価付けプログラム７２ｆは、ＣＰＵ７１を顔画像評価付け手段として機能させるものである。即ち、顔画像評価付けプログラム７２ｆは、ＣＰＵ７１による顔検出処理にて検出された複数の顔画像領域のそれぞれの画像情報に基づいて、それら顔画像領域の顔画像に特定条件に関する評価付けを行う顔画像評価付け処理に係る機能をＣＰＵ７１に実現させるためのプログラムである。
ここで、評価付けに係る特定条件としては、例えば、各顔画像領域における顔の表情、コントラスト、輝度、大きさなどが挙げられる。また、評価付け順は、例えば、表情認識における良い表情（笑顔）順、顔画像領域におけるコントラストや輝度の良い順、顔画像領域の大きさの大きい順などである。
なお、評価付けとしては、例えば、順位付けや点数付けが挙げられ、本実施形態における顔画像評価付け処理にあっては、順位付けを採用している。
【００５２】
顔画像領域選択プログラム７２ｇは、ＣＰＵ７１を顔画像領域選択手段として機能させるものである。即ち、顔画像領域選択プログラム７２ｇは、ＣＰＵ７１による顔検出処理にて検出された複数の顔画像領域のうち、所定数の顔画像領域を選択する顔画像領域選択処理に係る機能をＣＰＵ７１に実現させるためのプログラムである。
ここで、顔画像領域選択処理にて選択される顔画像領域の所定数は、例えば、検出された顔画像領域の数が表示部３の画像表示部３２に表示可能な顔画像領域の数より多い場合に、その表示部３に表示可能とする最大の５つであったり、また、予め設定されている数であって、顔画像評価付け処理にて順位付けされた上位５つであったりする。
【００５３】
合焦プログラム７２ｈは、ＣＰＵ７１による顔画像評価付け処理にて順位付けされた結果に基づく最良の顔画像領域に対応する被写体人物に焦点を合わせる合焦処理に係る機能をＣＰＵ７１に実現させるためのプログラムである。具体的には、ＣＰＵ７１は、合焦プログラム７２ｈを実行することで、撮影制御部１５を介してフォーカス駆動部２１を制御して、所定の被写体に対する合焦処理を行う。
【００５４】
異条件順表示制御プログラム７２ｉは、ＣＰＵ７１を異条件順表示制御手段として機能させるものである。即ち、異条件順表示制御プログラム７２ｉは、表示部３の画像表示部３２に、撮像部１により撮像されたスルー画像を表示させる際と、記録媒体５に記録される画像情報に基づく記録画像を表示させる際とで、ＣＰＵ７１による顔検出処理にて検出された複数の顔画像領域の顔画像を、ＣＰＵ７１による顔画像評価付け処理にて互いに異なる特定条件で順位付けされた順に表示させる異条件順表示制御処理に係る機能をＣＰＵ７１に実現させるためのプログラムである。
【００５５】
表示順切替プログラム７２ｊは、画像表示制御プログラム７２ｃの一部であって、ＣＰＵ７１を表示順切替手段として機能させるものである。即ち、表示順切替プログラム７２ｊは、ＣＰＵ７１による顔画像評価付け処理にて順次行われる特定条件に関する順位付けの結果に応じて、顔画像領域の表示順を順次切り替える表示順切替処理に係る機能をＣＰＵ７１に実現させるためのプログラムである。
【００５６】
次に、本実施形態における撮像装置１００において、被写体としての人物を撮像する際の処理について、図２に示すフローチャートに基づき説明する。
【００５７】
まず、ユーザ（撮影者）による操作部４（例えば、モード設定ボタン４１ｂ）の所定操作に基づいて、人物撮影モードとなった撮像装置１００を所望する被写体である人物に向けると、撮像レンズ群１１を通じて電子撮像部１２に結像された画像が、図３に示すように、表示部３の画像表示部３２の表示画面にスルー画像となって表示される（ステップＳ１）。
【００５８】
次いで、ＣＰＵ７１は、ユーザの操作によりシャッターボタン４１ａが半押しされたハーフシャッタとなったか否かを判断する（ステップＳ２）。
ＣＰＵ７１が、ハーフシャッタとなったと判断すると（ステップＳ２；ＹＥＳ）、ＣＰＵ７１は、プログラムメモリ７２内の顔検出プログラム７２ａを実行し、撮像部１により撮像された撮像画像Ｇの画像情報に基づいて、その撮像画像内から被写体となった人物の顔を検出して、その人物の顔が含まれる顔画像領域を取得した後、プログラムメモリ７２内の表情認識プログラム７２ｂを実行して、各顔画像領域における人物の顔の表情に関するデータを取得し、表情認識を行う（ステップＳ３）。
【００５９】
次いで、ＣＰＵ７１は、プログラムメモリ７２内の顔画像評価付けプログラム７２ｆを実行して、各顔画像領域における人物の顔の表情に関する順位付けを行う（ステップＳ４）。特に、この順位付けにおいて同じ順位となった顔画像領域がある場合には、撮像画像内でより画面中央側の領域を優先順位の高い順位とする。
【００６０】
次いで、ＣＰＵ７１は、プログラムメモリ７２内の画像表示制御プログラム７２ｃ及び異条件順表示制御プログラム７２ｉ、また画像表示制御プログラム７２ｃの一部である顔画像一列表示制御プログラム７２ｄを実行し、顔画像領域を拡大して、例えば、図４に示すように、その各顔画像領域Ｆ、…を表示画面の左側に表情（笑顔）のよい順に順位付けされた順番（昇順）に上から下に縦一列に並べて、撮像画像Ｇの一部に重ねるように重畳表示し、その拡大した顔画像領域Ｆをスルー画像である撮像画像Ｇとともに表示部３の画像表示部３２における同一画面に表示する（ステップＳ５）。
【００６１】
なお、撮像画像Ｇにおいて、５人の被写体人物の顔が検出されて認識されており、５人分の顔画像領域Ｆが表示されている。また、撮像画像Ｇにおいて顔画像領域Ｆに対応する部分には、顔認識枠Ｗが表示されている。
そして、図４における撮像画像Ｇにおいて、撮像画像Ｇ中の５人の被写体人物に対して左から順にＷ１、Ｗ２、Ｗ３、Ｗ４、Ｗ５の顔認識枠Ｗが割り当てられており、この画面の左側にはそのＷ３、Ｗ２、Ｗ５、Ｗ１、Ｗ４が対応する５人分の顔画像領域Ｆが上から順にＦ３、Ｆ２、Ｆ５、Ｆ１、Ｆ４と並べて表示されている。
【００６２】
なおここで、ユーザが撮像装置１００を被写体に向ける角度や方向が変わったり、被写体となった人物が動くなどしたりして、撮像画像Ｇに変化が生じたことにより、各顔画像領域の順位に変動が生じることに応じて、ＣＰＵ７１は、画像表示制御プログラム７２ｃの一部である表示順切替プログラム７２ｊを実行し、顔画像領域Ｆの並び順を切り替えるように表示を切り替えてもよい。この際は例えば、図２のフローチャートのステップＳ８でハーフシャッタ解除されない時にステップＳ７を実行するのではなく、ステップＳ３を実行する。これにより、ハーフシャッタ押下中は、常に顔検出と順位付けが行われることになり、順位の変更を検出可能になる。このように、撮像装置１００は、各顔画像領域Ｆの順位変動に応じて、最新の順位データに関する表示を行うことが可能となる。
【００６３】
そして、ＣＰＵ７１は、プログラムメモリ７２内の合焦プログラム７２ｈを実行し、フォーカス駆動部２１を制御して、順位付けされて最良の表情（笑顔）とされた顔画像領域に対応する被写体の人物に焦点を合わせる（ステップＳ６）。
【００６４】
次いで、ＣＰＵ７１は、ユーザの操作によりシャッターボタン４１ａが全押しされ、撮影操作が行われたか否かを判断する（ステップＳ７）。
ＣＰＵ７１が、シャッターボタン４１ａが全押しされたと判断すると（ステップＳ７；ＹＥＳ）、ステップＳ９へ進む。
一方、ＣＰＵ７１が、シャッターボタン４１ａは全押しされていないと判断すると（ステップＳ７；ＮＯ）、ＣＰＵ７１は、シャッターボタン４１ａが半押しされたハーフシャッタが解除されたか否かを判断する（ステップＳ８）。
ここで、ＣＰＵ７１が、ハーフシャッタは解除されていないと判断すると（ステップＳ８；ＮＯ）、ステップＳ７に戻る。一方、ＣＰＵ７１が、ハーフシャッタは解除されたと判断すると（ステップＳ８；ＹＥＳ）、ステップＳ１に戻る。
【００６５】
ステップＳ９において、ＣＰＵ７１は、シャッターボタン４１ａが全押しされたタイミングに、撮像レンズ群１１を通じて電子撮像部１２に結像されている画像の画像情報を記録媒体５に記録し（ステップＳ９）、被写体の撮影を実行する。
【００６６】
そして、ユーザによる操作部４の所定操作に基づいて、撮像画像の確認を行うように、記録媒体５に記録された撮像画像をＲＥＣビューとして表示部３の画像表示部３２に表示する際、ＣＰＵ７１は、プログラムメモリ７２内の画像表示制御プログラム７２ｃ及び異条件順表示制御プログラム７２ｉを実行し、記録媒体５に記録されている撮像画像において検出される複数の顔画像領域を特定条件としてのコントラストのよい昇順に上から下に並べて表示させ、その顔画像領域を撮像画像とともに表示部３の画像表示部３２における同一画面に表示する（ステップＳ１０）。
【００６７】
具体的には、例えば、記録媒体５に記録されている撮像画像Ｇを画像表示部３２に表示する際に、その撮像画像Ｇにおける複数の顔画像領域Ｆをコントラストのよい昇順に上から下に並べて表示する場合、図５に示すように、表情（笑顔）のよい順（図４参照）で第１位、第２位であった顔画像領域Ｆ３とＦ２の順が入れ替わり、顔画像領域部分の表示が切り替わるようになっている。
このように、撮像部１により撮像されたスルー画像を表示させる際（図４参照）と、記録媒体５に記録された画像情報に基づく記録画像を表示させる際（図５参照）とで、複数の顔画像領域を互いに異なる特定条件で順位付けされた順に表示させることによって、撮影時に好適な順位付けと、記録画像の確認時に好適な順位付けとを使い分けることができる。
なお、画像のコントラストのよい順に顔画像領域を表示する際、表情認識においてよい表情（笑顔）であると判断された顔画像領域を判別することができるように、その顔画像領域のフレーム（顔認識枠Ｗ）を異なる表示形態としたり、その顔画像領域に所定の笑顔マークを付したりして、笑顔に関して優れている顔画像領域を識別可能に表示することが好ましい。
【００６８】
そして、ユーザによる操作部４の所定操作に基づき、撮像処理を終了する。
【００６９】
以上のように、本発明に係る撮像装置１００によれば、撮像画像の中から撮像対象である被写体として捉えた複数の人物の顔を検出して、検出された人物の顔が含まれる領域を拡大した複数の顔画像領域と撮像画像全体とを同一画面に表示することができるので、被写体となった人物の顔を見ながら、その人物の視線や表情などがよいタイミングを確認してシャッターボタンを押して、所望する人物の撮影を行うことが可能になる。つまり、被写体人物の顔の様子をより迅速に確認することができ、適切な撮影を行うことが可能になる。
特に、拡大表示される顔画像領域は、顔の表情（笑顔）などの特定条件で順位付けされているので、その順位付けに応じてよりよい被写体人物を認識することが可能になる。また、その順位付けされた結果に伴う被写体人物に焦点が合わされることで、撮影を好適に行うことが可能になる。
従って、この撮像装置１００を用いて、被写体となった人物の視線や表情などを確認しつつ撮影を行うことによって、被写体となった人物をより適切に撮像することができる。
【００７０】
なお、本発明は上記実施形態に限られるものではない。
【００７１】
例えば、図６に示すように、プログラムメモリ７２に、評価表示制御プログラム７２ｋを記憶する撮像装置１００であってもよい。
評価表示制御プログラム７２ｋは、ＣＰＵ７１を評価表示制御手段として機能させるものである。即ち、評価表示制御プログラム７２ｋは、ＣＰＵ７１による顔画像評価付け処理にて評価付けされた結果に対応して、各顔画像領域Ｆに対してその評価付けに応じた数値（例えば、順位や点数）を対応付けて表示する評価表示制御処理に係る機能をＣＰＵ７１に実現させるためのプログラムである。
そして、ステップＳ５において、各顔画像領域Ｆ、…を表示画面の左側に並べて表示する際に評価表示制御プログラム７２ｋを実行すると、例えば、図７に示すように、各顔画像領域Ｆに対して笑顔に関する点数を対応付けて（例えば、Ｆ３；９８点、Ｆ２；９５点、Ｆ５；９０点、Ｆ１；８５点、Ｆ４；７０点）表示するようになっている。なお、顔画像領域Ｆに対応する順位付けに応じた数値は点数であることに限られず、笑顔に関する順位数（例えば、Ｆ３；１位、Ｆ２；２位、Ｆ５；３位、Ｆ１；４位、Ｆ４；５位）であってもよい。
また、このように顔画像領域Ｆに対してその順位付けに応じた数値を対応付けて表示する場合、各顔画像領域Ｆ、…の並び順を変更することなく、その点数などの数値のみを変更するようにすればよい。
【００７２】
また、例えば、図８に示すように、プログラムメモリ７２に、スクロール表示制御プログラム７２ｌを記憶する撮像装置１００であってもよい。
スクロール表示制御プログラム７２ｌは、ＣＰＵ７１をスクロール表示制御手段として機能させるものである。即ち、スクロール表示制御プログラム７２ｌは、ＣＰＵ７１による顔検出処理にて検出された複数の顔画像領域Ｆを、表示部３にスクロール表示させるスクロール表示制御処理に係る機能をＣＰＵ７１に実現させるためのプログラムである。
そして、ステップＳ５において、例えば、図９（ａ）〜（ｃ）に示すように、表示画面に３つの顔画像領域Ｆを表示する場合に、ＣＰＵ７１がスクロール表示制御プログラム７２ｌを実行すると、図９（ａ）、図９（ｂ）、図９（ｃ）の順となるように、３つ顔画像領域Ｆの対象を順に切り替えるようにスクロール表示して、全ての顔画像領域Ｆを表示するようになっている。
このようにすれば、顔画像領域の表示エリアが少ない場合でも、全ての顔画像領域を表示することができ、また、ユーザが所望する人物の顔画像領域を選択的に表示するように切り替えることもできる。
なお、このスクロールは、手動で行ってもよいし、所定時間毎に自動でスクロールしてもよい。
【００７３】
なお、ステップＳ４における複数の顔画像領域に対する特定条件に関する順位付けは、顔画像領域毎の顔の表情（例えば、笑顔）に関する順位付けであることに限られず、例えば、顔画像領域のコントラスト、顔画像領域の輝度、顔画像領域の大きさなどに関する順位付けであってもよい。特定条件をユーザが所望する条件に切り替えることによって、ユーザが所望する特定条件を主要撮像条件とした被写体の撮影を行うことができる。
【００７４】
また、ステップＳ５において、複数の顔画像領域を順位付けされた順番に並べて表示する際に、ＣＰＵ７１が、プログラムメモリ７２内の顔画像領域選択プログラム７２ｅを実行して、検出された複数の顔画像領域のうち、所定数の顔画像領域を選択して、選択された顔画像領域を拡大して表示するようにしてもよい。そして、例えば、検出された顔画像領域の数が表示部３の画像表示部３２に表示可能な顔画像領域の数より多い場合に、表示部３に表示可能な５つの顔画像領域を選択したり、また、特定条件（例えば、顔の表情、笑顔の順）で順位付けされた上位５つの顔画像領域を選択するようにすればよい。
【００７５】
また、拡大した複数の顔画像領域と撮像画像を重ねて表示するようにしたが、顔画像領域と撮像画像の表示方法はこれに限られるものではなく、例えば、図１０に示すように、撮像画像部分を縮小表示して、顔画像領域Ｆと撮像画像Ｇとが重ならないように表示してもよい。このようにすれば、撮像画像Ｇが顔画像領域Ｆに遮られることがないので、撮像画像Ｇと顔画像領域Ｆの両方を好適に視認することができ、その両方を確認しつつ撮影を行うことができる。
【００７６】
また、複数の顔画像領域を表示画面の端に並べて表示するようにしたが、顔画像領域の表示位置はこれに限られるものではなく、例えば、図１１に示すように、撮像画像Ｇにおける被写体の所定位置である顔に対応付けて、その顔部分に顔画像領域Ｆを重畳して表示するようにしてもよい。このようにすれば、撮像画像Ｇ中の被写体人物と顔画像領域Ｆを対応付けて、その人物の顔の表情や視線を確認しやすくなる。
なお、被写体の顔部分に顔画像領域Ｆを重畳して表示する際に、隣り合った顔画像領域Ｆが重ならないように、その表示位置をずらしたり、顔画像領域Ｆの拡大率を調整したりすることが好ましい。
【００７７】
また、例えば、撮像装置１００に顔認証機能を搭載して、認証された顔画像の優先順位に基づいて評価付けを行って、優先順位の高い順に顔画像領域を表示するようにしても良い。
即ち、図１２及び図１３に示すように、ＣＰＵ７１は、プログラムメモリ７２内の顔登録判定プログラム７２ｋを実行して、顔検出処理にて検出された顔画像領域の顔画像と顔画像登録テーブルＴ（図１３参照）に登録されている顔画像とを照合して、一致するか否かを判定（認証）する顔認証処理を行う。当該判定の結果、検出された顔画像が顔画像登録テーブルＴに登録されている顔画像と一致すると判定された場合には、顔検出処理にて検出された顔画像の人物を認証する。
そして、ＣＰＵ７１は、顔画像評価付けプログラム７２ｆを実行して、当該顔画像の優先順位に基づいて評価付けを行い、続けて、画像表示制御プログラム７２ｃを実行して、優先順位の高い順に顔画像領域を表示部３に表示させる。
【００７８】
ここで、顔画像登録テーブルＴは、プログラムメモリ７２に記憶され（図示略）、具体的には、図１３に示すように、登録名と、優先度と、顔画像データを対応付けて順に登録するものである。例えば、顔画像登録テーブルＴは、登録番号１を例示して説明すると、登録名「お父さん」と、優先度「１」と、顔画像データ「Ｎ０００１．ｊｐｇ」を対応付けて記憶する。同様に、登録番号２は、登録名「お母さん」と、優先度「１」と、顔画像データ「Ｎ０００２．ｊｐｇ」が対応付けられ、また、登録番号３は、登録名「お兄ちゃん」と、優先度「２」と、顔画像データ「Ｎ０００３．ｊｐｇ」が対応付けられ、また、登録番号４は、登録名「お姉ちゃん」と、顔画像データ「Ｎ０００４．ｊｐｇ」が対応付けられ、また、登録番号５は、登録名「おじいちゃん」と、優先度「３」と、顔画像データ「Ｎ０００５．ｊｐｇ」が対応付けられている。
なお、図１３に例示した顔画像登録テーブルＴは、一例であってこれに限られるものではなく、登録名と、優先度と、顔画像データ等の内容は適宜任意に変更することができる。
【００７９】
そして、ＣＰＵ７１は、顔検出処理にて複数の人物に対応する顔画像領域を検出して、当該顔画像が顔画像登録テーブルＴに登録されていると判定した場合（例えば、「お母さん」、「お兄ちゃん」、「おじいちゃん」の顔画像が登録されている場合）には、顔画像登録テーブルＴに登録されている顔画像のうち、優先度が最も高いものから順に（例えば、「お母さん」の顔画像（顔画像領域Ｆ３参照）、「お兄ちゃん」の顔画像（顔画像領域Ｆ２参照）、「おじいちゃん」の顔画像（顔画像領域Ｆ４参照）の順に）上から下に縦一列に並べて、撮像画像Ｇの一部に重ねるように表示部３に重畳表示させる。
【００８０】
また、顔検出処理にて検出された顔画像が顔画像登録テーブルＴに登録されているものの優先度が登録されていないもの（例えば、「お姉ちゃん」の顔画像（顔画像領域Ｆ５参照））の場合には、当該顔画像は優先度が登録されているものに比して評価が低く、優先度が登録されているものの次（下）に表示されるようにしても良い。
さらに、顔認証処理により、顔検出処理にて検出された顔画像が顔画像登録テーブルＴに登録されていないと判定された場合には、当該未認証の顔画像領域の顔画像は認証されたものに比して評価が低く、優先度が登録されている顔画像の中で最も優先度が低いもの（例えば、「おじいちゃん」の顔画像（顔画像領域Ｆ４参照））か、或いは、優先度が登録されていない顔画像（例えば、「お姉ちゃん」の顔画像（顔画像領域Ｆ５参照））の次（下）に表示されるようにしても良い。
【００８１】
また、顔認証された人物に係る顔画像領域の顔画像（例えば、「お母さん」の顔画像（顔画像領域Ｆ３参照）、「お兄ちゃん」の顔画像（顔画像領域Ｆ２参照）、「おじいちゃん」の顔画像（顔画像領域Ｆ４参照）、「お姉ちゃん」の顔画像（顔画像領域Ｆ５参照）等）を表示する場合には、顔認証済みを示す表示（例えば、「登録」等）を当該顔画像に重畳して表示するようにしても良い（図１４参照）。
さらに、顔認証済みの顔画像のうち、優先度が登録されているもの（例えば、「お母さん」の顔画像（顔画像領域Ｆ３参照）、「お兄ちゃん」の顔画像（顔画像領域Ｆ２参照）、「おじいちゃん」の顔画像（顔画像領域Ｆ４参照）等）の場合には、優先度を示す表示（例えば、優先度に応じた「数字」等）を当該顔画像に重畳して表示するようにしても良い（図１５参照）。
また、上記した顔認証済みを示す表示と共に、優先度を示す表示を同時に表示するようにしても良い。
また、この顔認証済みを示す表示と、優先度を示す表示は、図７，９，１０，１１の何れの拡大画像と共に重畳して表示しても良い。
【００８２】
また、ステップＳ６において、焦点を合わせる被写体の人物は、必ずしも表情認識で一番よい表情、笑顔であると判断された顔画像領域に対応する人物である必要はなく、例えば、顔画像領域のコントラスト、輝度、大きさなど、特定条件に関して最良とされた顔画像領域に対応する人物であってもよい。また、特定条件は選択して設定することが可能となっており、ユーザが所望する条件に切り替えることができるようになっている。
また、撮像画像Ｇ内でより画面中央側の人物や、特定条件に関して基準以上の評価が得られた顔画像領域であってより画面中央側の人物に焦点を合わせるようにしてもよい。
【００８３】
また、上記実施形態にあっては、撮像画像の表示及び顔検出処理にて検出された顔領域の顔画像の拡大表示のタイミングを、表示部３にスルー画像及びＲＥＣビュー画像を表示する両方のタイミングとしたが、これに限られるものではなく、スルー画像及びＲＥＣビュー画像のうち、少なくとも何れか一方の画像を表示するタイミングであれば良い。即ち、表示部３にスルー画像を表示する際にのみ、撮像画像の表示及び顔検出処理にて検出された顔領域の顔画像の拡大表示を行うようにしても良いし、ＲＥＣビュー画像を表示する際にのみ、撮像画像の表示及び顔検出処理にて検出された顔領域の顔画像の拡大表示を行うようにしても良い。
【００８４】
また、本発明に係る撮影画像と顔画像領域の拡大画像をともに表示する表示方法は、撮影時に限らず、撮影画像を記録した後に、再生モードで撮影画像を再生する際の画像表示に用いても良い。これにより、再生モードであってもより迅速に撮影画像と顔領域の顔画像の確認を行うことが可能になる。
また当然であるが、本発明による顔画像領域の拡大画像は１つだけでもよく、複数の顔画像領域が存在しなくてもよい。
【００８５】
また、以上の実施の形態において、本発明を撮像装置に適用して説明したが、撮像部を有さない画像表示装置に本発明の顔画像表示処理を適用しても同様の効果が得られ、被写体人物の表情などを好適に確認することができる。
【００８６】
なお、本発明は、上記実施形態に限定されることなく、本発明の趣旨を逸脱しない範囲において、種々の改良並びに設計の変更を行ってもよい。
【図面の簡単な説明】
【００８７】
【図１】本発明を適用した撮像装置の概略構成を示すブロック図である。
【図２】本発明に係る撮像装置により被写体としての人物を撮像する際の処理を示すフローチャートである。
【図３】撮像装置が捉えた被写体のスルー画像である撮像画像を示す説明図である。
【図４】拡大された顔画像領域が撮像画像に重ねて表示された表示画面を示す説明図である。
【図５】撮像画像がＲＥＣ画像として表示された際の表示画面を示す説明図である。
【図６】撮像装置の変形例を示すブロック図である。
【図７】拡大された顔画像領域に順位付けに応じた点数が対応付けられて表示された表示画面を示す説明図である。
【図８】撮像装置の変形例を示すブロック図である。
【図９】拡大された３つの顔画像領域を撮像画像に重ねてスクロール表示する表示画面を示す説明図である。
【図１０】顔画像領域と撮像画像とが重ならないように同一画面に表示される変形例を示す説明図である。
【図１１】顔画像領域を被写体に重畳して表示される変形例を示す説明図である。
【図１２】撮像装置の変形例を示すブロック図である。
【図１３】図１２の撮像装置に記録されている顔画像登録テーブルの一例を示す図である。
【図１４】顔認証済みの顔画像領域が表示された表示画面を示す説明図である。
【図１５】優先度が登録済みの顔画像領域が表示された表示画面を示す説明図である。
【符号の説明】
【００８８】
１  撮像部
１２  電子撮像部（撮像素子）
３  表示部
３２  画像表示部
５  記録媒体（画像記録部）
７  制御部
７１  ＣＰＵ（顔検出手段、表情認識手段、画像表示制御手段、複数顔画像表示制御手段、顔画像一列表示制御手段、選択拡大表示制御手段、顔画像評価付け手段、顔画像領域選択手段、異条件順表示制御手段、表示順切替手段、評価表示制御手段、スクロール表示制御手段、顔画像登録手段、顔登録判定手段）
１００  撮像装置
Ｆ  顔画像領域（顔領域の顔画像）
Ｇ  撮像画像
Ｗ  顔認識枠
【図１】
2008278458.tif 000003
【図２】
2008278458.tif 000004
【図３】
2008278458.tif 000005
【図４】
2008278458.tif 000006
【図５】
2008278458.tif 000007
【図６】
2008278458.tif 000008
【図７】
2008278458.tif 000009
【図８】
2008278458.tif 000010
【図９】
2008278458.tif 000011
【図１０】
2008278458.tif 000012
【図１１】
2008278458.tif 000013
【図１２】
2008278458.tif 000014
【図１３】
2008278458.tif 000015
【図１４】
2008278458.tif 000016
【図１５】
2008278458.tif 000017